(57)【特許請求の範囲】
【請求項１】
円形軌道を移動する自転可能な壜台に非円形の壜を導入し、壜台を自転させたのち壜台から壜を排出するとき、壜台を一定の方向に規制する装置であって、
壜台の自転軸に左右対称に固定され先端にローラを持つアームと、円形軌道と同心に配置されアームのローラと当接してアームを円形軌道の接線方向に保持する円形ガイドと、円形ガイドの前段で円形軌道の接線方向に配置されアームのローラと当接してアームを円形軌道の接線方向に案内する直線ガイドと、直線ガイドの入口に配置されアームのローラと死点状態で当接したとき円形軌道の外側方向へ移動するローラガイドとからなることを特徴とする壜台の方向規制装置。
【発明の詳細な説明】
【０００１】
【産業上の利用分野】
本発明は、壜の検査のために壜を載置した壜台を自転させたあと壜台の方向を規制する装置に関する。
【０００２】
【従来の技術】
壜の外観検査をするとき、自転可能な壜台を備え、壜台に壜を載置して円形軌道上を移動させ、壜台を回転ベルト等に接触させて自転させ、自転時に壜の検査を行ない、検査後の壜を移動させ、壜台から壜を排出する方式の装置がある。壜は、壜の形状に合った切欠きを持つ入口スターホイルから導入され、前記壜台に受け渡され、壜台を自転させて壜の検査が行なわれた後に出口スターホイルへ排出される。壜が円形のときは自転後の壜台の方向に拘らず、壜は出口スターホイルの切欠きに納まる。
【０００３】
【発明が解決しようとする課題】
しかしながら、壜が楕円形や角形のような非円形のときは、壜が出口スターホイルの切欠きに納まるように自転後の壜台の方向を規制する必要がある。
本発明は上述の事情に鑑みなされたもので、円形軌道を移動する自転可能な壜台に非円形の壜を導入し、壜台を自転させたのち壜台から壜を排出するとき、壜台を一定の方向に規制することができる壜台の方向規制装置を提供することを目的とする。
【０００４】
【課題を解決するための手段】
本発明の壜台の方向規制装置は、円形軌道を移動する自転可能な壜台に非円形の壜を導入し、壜台を自転させたのち壜台から壜を排出するとき、壜台を一定の方向に規制する装置であって、壜台の自転軸に左右対称に固定され先端にローラを持つアームと、円形軌道と同心に配置されアームのローラと当接してアームを円形軌道の接線方向に保持する円形ガイドと、円形ガイドの前段で円形軌道の接線方向に配置されアームのローラと当接してアームを円形軌道の接線方向に案内する直線ガイドと、直線ガイドの入口に配置されアームのローラと死点状態で当接したとき円形軌道の外側方向へ移動するローラガイドとからなることを特徴とする。
【０００５】
【作用】
本発明によれば、壜台が自転後に移動して、壜台の自転軸に固定されたアームのローラが直線ガイドに当接すると、アームは円形軌道の接線方向に案内される。次いでアームのローラが円形ガイドと当接するので、アームは接線方向に保持され、壜台は一定の方向に規制される。この状態で壜台から壜が出口スターホイル等に排出される。
【０００６】
アームが直線ガイドの入口に配置されたローラガイドと死点状態で当接したとき、ローラガイドは当接時の衝撃で円形軌道の外側方向へ移動するので、壜台の移動とあいまってアームはローラガイドから反力を受け壜台の自転軸を中心として回転し、速やかに死点状態から脱出できる。そして、ローラは直線ガイドに当接して円形軌道の接線方向に案内され、その後、速やかに壜台から壜が出口スターホイル等に排出される。
【０００７】
【実施例】
以下、本発明に係る壜台の方向規制装置の一実施例を図１及び図２を参照して説明する。図１は壜台の方向規制装置の全体構成を示す平面図であり、図２は図１のII−II線断面図である。
【０００８】
図１及び図２に示されるように、複数の壜台１はターンテーブル２により支持されており、ターンテーブル２の回転によって円形軌道３上を移動するようになっている。円形軌道３に隣接して入口スターホイル４と出口スターホイル５とが配設されており、非円形（角形）の壜６は入口スターホイル４により円形軌道３を移動する壜台１に導入され、円形軌道３を移動したのちに壜台１から出口スターホイル５に排出される。
【０００９】
壜台１は、図２に示されるように軸受８を介してターンテーブル２に支持されている。また、円形軌道３に隣接して回動ベルト９が配設されており、この回動ベルト９は壜台１の外周面に接触して壜台１を自転軸１ａの軸心回りに自転させるようになっている。前記回動ベルト９を挟んで照明１１とカメラ１２とが対向配置されており、壜台１を自転させて照明１１とカメラ１２とにより壜６の胴部全面の検査ができるようになっている。なお、壜台１の頂部は連通路１３を介して真空源１４に接続されており、壜台１は壜６の底部を真空吸着して保持するようになっている。
【００１０】
壜台１が自転したのちにおいては、壜台１の方向が一定の方向でないために、非円形（角形）の壜６を壜台１から壜の形状に合った切欠きをもつ出口スターホイル５に排出することができない。そのため、壜台１を一定の方向に規制する壜台の方向規制装置１５が配設されている。
【００１１】
壜台の方向規制装置１５は、壜台１の自転軸１ａに左右対称に固定され先端にローラ１６を持つアーム１７と、円形軌道３と同心に配置されアーム１７のローラ１６と当接してアーム１７を円形軌道３の接線方向に保持する円形ガイド１８とを備えている。壜台の方向規制装置１５は、さらに円形ガイド１８の前段で円形軌道３の接線方向に配置されアーム１７のローラ１６と当接してアーム１７を円形軌道３の接線方向に案内する直線ガイド１９と、直線ガイド１９の入口に配置されアーム１７のローラ１６と死点状態で当接したとき円形軌道３の外側方向へ移動するローラガイド２０とを備えている。なお、前記ローラガイド２０は圧縮コイルスプリング２１により円形軌道側に付勢されている。
【００１２】
次に、前述のように構成された壜台の方向規制装置の作用を説明する。
非円形（角形）の壜６は入口スターホイル４により円形軌道３を移動する壜台１に導入される。このとき、壜台１の自転軸１ａに固定されたアーム１７のローラ１６が円形ガイド１８に接触しているため、アーム１７は円形軌道３の接線方向に案内され、壜台１は一定の方向に規制された状態にある。
【００１３】
壜台１は円形軌道３を移動する間に回動ベルト９に接触して自転する。この自転の間に、壜６の壜胴全面が照明１１とカメラ１２とにより検査される。壜台１が回動ベルト９と接触しなくなり自転しなくなったときには、壜台１の方向は一定していない。この状態で壜台１は円形軌道３を移動し、壜台１の自転軸１ａに固定されたアーム１７のローラ１６が直線ガイド１９に当接すると、アーム１７は円形軌道３の接線方向に案内され、次いでアーム１７のローラ１６が円形ガイド１８と当接するのでアーム１７は接線方向に保持され、壜台１は一定の方向に規制される。この状態で壜６は壜台１から出口スターホイル５に排出される。
【００１４】
一方、アーム１７が直線ガイド１９の入口に配置されたローラガイド２０と死点状態で当接したとき、ローラガイド２０は当接時の衝撃で円形軌道３の外側方向へ移動するので、壜台１の移動とあいまってアーム１７はローラガイド２０から反力を受け壜台１の自転軸１ａを中心として回転し、速やかに死点状態から脱出できる。そして、ローラ１６は直線ガイド１９に当接して円形軌道３の接線方向に案内され、その後、速やかに壜台１から壜６が出口スターホイル５に排出される。
【００１５】
【発明の効果】
以上説明したように本発明によれば、円形軌道を移動する自転可能な壜台に壜を導入し、壜台を自転させたのち壜台から壜を排出するとき、壜台を一定の方向に規制することができる。そのため、非円形の壜の壜台への導入及び壜台からの排出を円滑に行うことができる。
【００１６】
【図面の簡単な説明】
【図１】本発明に係る壜台の方向規制装置の一実施例を示す平面図である。
【図２】図１のII−II線断面図である。
【符号の説明】
１    壜台
１ａ    自転軸
２    ターンテーブル
３    円形軌道
４    入口スターホイル
５    出口スターホイル
６    壜
９    回動ベルト
１１    照明
１２    カメラ
１５    壜台の方向規制装置
１６    ローラ
１７    アーム
１８    円形ガイド
１９    直線ガイド
２０    ローラガイド
【図１】
0003545463.tif 000002
【図２】
0003545463.tif 000003